(57)【要約】【課題】２次電池の異常状態を早期に回避する。【解決手段】充電電流が所定値以上流れ、かつ電池電圧が略一定状態のとき（１１０）、充電電流が流れ、かつ電池電圧が減少したとき（１０４）、充電電流が流れ、かつ電池電圧が急激に上昇したとき（１０６）、充電電流及び放電電流が流れていない状態で電池電圧が減少したとき（１１８）、放電電流が流れているか、または充電電流及び放電電流が流れていない状態で電池電圧が上昇したとき（１１２）、放電電流が流れているか、または充電電流及び放電電流が流れていない状態で電池電圧が急激に減少したとき（１１４）のいずれかの条件が成立したときに、２次電池異常と判断し、電流遮断スイッチＳ１をオフにする（１２０，１２２）。【選択図】図２
2008220168.tif 000002
【特許請求の範囲】
【請求項１】
２次電池と、
前記２次電池の電圧を検出する電圧検出手段と、
前記２次電池の電流を検出する電流検出手段と、
前記電圧検出手段により検出された電圧が前記２次電池の充電中に一定になり、かつ前記電流検出手段により検出された電流が充電方向に流れる場合に、前記電流を遮断する遮断手段と、
を備えた２次電池パック。
【請求項２】
前記遮断手段により前記電流が遮断された場合に前記２次電池を放電させる放電手段を更に備えた
請求項１に記載の２次電池パック。
【請求項３】
２次電池の電圧及び電流を検出し、
検出された電圧が前記２次電池の充電中に一定になり、かつ検出された電流が充電方向に流れる場合に、前記電流を遮断する
２次電池パックの異常状態回避方法。
【請求項４】
前記電流が遮断された場合に前記２次電池を放電させる
請求項３に記載の２次電池パックの異常状態回避方法。
【発明の詳細な説明】
【技術分野】
【０００１】
本発明は、２次電池パック及びその異常状態回避方法に係り、特に、過充電等による２次電池の異常状態を早期に回避する２次電池パック及びその異常状態回避方法に関する。
【背景技術】
【０００２】
２次電池であるリチウムイオン電池を充電するとき、正常状態では、一定充電電流（充電方向を負にしたとき、例えば、−１Ｃ（一定の放電が１時間継続可能な電流値））で電圧が一定値（通常、４．１Ｖ前後）まで徐々に上昇し、電圧が一定値になった所で充電電流が徐々に低下して０になる（ＣＣ−ＣＶ充電）。過充電等の異常状態では、充電電流は減少せずに流れ続け、このとき電圧は殆ど変化がないか降下するかあるいは急激に上昇する。従来は、電圧が所定値以上か、または電流値が所定値以上かを判断することにより、異常状態を判定していたため、電池の異常状態を正確に判定することができなかった。
【０００３】
特許文献１には、満充電までの充電領域（定電流充電または定電圧充電）において、定電流充電では電圧値が設定値より小さいとき、定電圧充電では電流値が、設定した値より大きいときに、微小短絡として検出することが開示されている。また、各サイクル充電での挙動から設定時間、電圧値、電流値をきめ細かく設定している。これは、基本的に同じ電池をサイクル試験する際には有効である。
【特許文献１】特開平９−１７４５８号公報
【発明の開示】
【発明が解決しようとする課題】
【０００４】
しかしながら、一般的にリチウム電池では、電極材料の構成や種類によって定電圧充電の電圧値が異なり、また、容量も大きく変化し、充電電流も変化する。特に、パック電池に構成した場合、電池の直並列数によってその値が大きく変化する。このように特性が異なる電池を充電する際には、設定値や挙動が異なるため、従来の技術は使用することができない。
【０００５】
特に、設定電圧値を間違えてしまった場合には、定電圧充電にならず、定電流充電が行われ、電圧値は本来設定すべき値の電圧値付近で一定になる。この場合、上記従来技術では設定した時間を経過して初めて異常を検出することができるにすぎない。
【０００６】
また、電池の個体差（例えば、充電状態の違い、満充電容量の違い）によっても充放電の特性が異なるため、電池を付け替えて充放電させるときにも適用できない。
【０００７】
本発明は、上記従来の問題点を解消するためになされたもので、２次電池の異常状態を早期に回避することができる２次電池パック及びその異常状態回避方法を提供することを目的とする。
【課題を解決するための手段】
【０００８】
上記目的を達成するために、本発明の２次電池パックは、２次電池と、前記２次電池の電圧を検出する電圧検出手段と、前記２次電池の電流を検出する電流検出手段と、前記電圧検出手段により検出された電圧が前記２次電池の充電中に一定になり、かつ前記電流検出手段により検出された電流が充電方向に流れる場合に、前記電流を遮断する遮断手段と、を備えている。
【０００９】
前記２次電池パックは、前記遮断手段により前記電流が遮断された場合に前記２次電池を放電させる放電手段を更に備えてもよい。
【００１０】
また、本発明の２次電池パックの異常状態回避装置は、２次電池の電圧及び電流を検出し、検出された電圧が前記２次電池の充電中に一定になり、かつ検出された電流が充電方向に流れる場合に、前記電流を遮断する。
【００１１】
前記２次電池パックの異常状態回避装置は、電流が遮断された場合に前記２次電池を放電させてもよい。
【発明の効果】
【００１２】
本発明の２次電池パック及びその異常状態判定方法によれば、２次電池の電圧及び電流を検出し、検出された電圧が前記２次電池の充電中に一定になり、かつ検出された電流が充電方向に流れる場合に、前記電流を遮断することにより、２次電池の異常状態を早期に回避することができる、という効果が得られる。
【発明を実施するための最良の形態】
【００１３】
以下、図面を参照して本発明の実施の形態について説明する。
【００１４】
本実施の形態は、図１に示すように、リチウムイオン電池等の２次電池Ｂが収納された電池パック１０に対して並列に、充放電回路１２を接続して構成されている。電池パック１０内には、２次電池Ｂ、２次電池Ｂと並列に接続された電圧検出装置１４、及び２次電池Ｂの正極と充放電回路１２との間に接続された電流検出装置１６と電流遮断スイッチＳ１とからなる直列回路が収納されると共に、一端が電流計１６と電流遮断スイッチＳ１との間に接続され、かつ他端が２次電池Ｂの負極と充放電回路１２との間に接続された短絡スイッチＳ２と放電抵抗Ｒとからなる直列回路が収納されている。
【００１５】
また、電池パック１０内には、電圧検出装置１４、電流検出装置１６、電流遮断スイッチＳ１、及び短絡スイッチＳ２の各々に接続され、かつマイクロコンピュータを含んで構成された計測制御回路１８が収納されている。
【００１６】
以下、図２を参照して、計測制御回路１８のマイクロコンピュータで実行される充放電及び異常状態に推移していると判定されたときの異常時の処理を含む制御ルーチンについて説明する。
【００１７】
図２の制御ルーチンは、計測制御回路１８のマイクロコンピュータによって電流遮断スイッチＳ１をオン、短絡スイッチＳ２をオフして充放電回路１２による２次電池の充放電を開始させた後、所定時間毎に実行される。ステップ１０２では、２次電池を通って流れる電流（以下、電池電流）Ｉが負か否かを判断することにより、充電中か、放電中か、または充放電停止中かを判断する。本実施の形態では、充電のとき電池電流Ｉを負、放電のとき電池電流Ｉを正とする。電池電流Ｉが負のとき、すなわち充電中は、ステップ１０４において、電池電圧の単位時間（例えば、１０秒）当たりの変化量（以下、電池電圧の変化量）ΔＶが負か否かを判断することにより、電池電圧Ｖが減少しているか否かを判断する。
【００１８】
電池電圧の変化量ΔＶが負の場合は、充電しているにも拘わらず、電池電圧Ｖが減少しているので、異常と判断して異常時の処理を実行する。この異常時の処理では、まずステップ１２０で電流遮断スイッチＳ１をオフして充電電流を遮断し、ステップ１２４で電池電圧Ｖが所定値Ｖ0（例えば、３．５Ｖ、満充電容量の２０％相当の値）以上か否かを判断し、電池電圧Ｖが所定値Ｖ0以上の場合は、ステップ１２６で短絡スイッチＳ２をオンして放電抵抗Ｒを介して２次電池を安全に放電させる。なお、このとき放電抵抗Ｒを変化させ、更に安全に放電させるようにしてもよい。
【００１９】
電池電圧の変化量ΔＶが０以上の場合、すなわち電池電圧Ｖが一定または増加している場合には、ステップ１０６で電池電圧の変化量ΔＶが閾値ΔＶ２以上か否かを判断することにより、電池電圧Ｖが急激に上昇しているか否かを判断する。閾値ΔＶ２は、変化量ΔＶが急激に変化しているか否かを判断するための閾値であるので、閾値の中でも比較的大きな値、例えば０．２Ｖが採用される。
【００２０】
ステップ１０６で電池電圧Ｖが、急激に上昇している場合には、異常と判断し上記で説明した異常時の処理を実行する。
【００２１】
ステップ１０６で電池電圧が急激に上昇していないと判断された場合には、ステップ１０８において電流Ｉが充電電流の閾値Ｉ１（例えば、−１／３Ｃ（一定の放電が１時間継続可能な電流値Ｃの１／３）以下か否かを判断する。
【００２２】
電流Ｉが充電電流の閾値Ｉ１を越えている場合には、正常であると判断し、電流Ｉが充電電流の閾値Ｉ１以下の場合には、ステップ１１０で電池電圧の変化量ΔＶが、閾値ΔＶ１以下か否かを判断することにより、電池電圧が略一定か否かを判断する。閾値ΔＶ１は、電池電圧が略一定か否かを判定するための閾値であり、０に近い正の小さな値、例えば０．０１Ｖを採用することができる。ステップ１０４及びステップ１０６で否定判断されることにより、ΔＶ２＞ΔＶ≧０になっているので、ステップ１１０の判断が肯定のときはΔＶ１≧ΔＶ≧０（本実施の形態の例では、０．０１≧ΔＶ≧０）であるので、ステップ１１０の判断によって電池電圧が略一定であることを判断することができる。
【００２３】
電池電圧Ｖが略一定のときには、充電しているにも拘わらず、電池電圧Ｖが上昇していないので異常と判断し、上記で説明した異常時の処理を実行する。一方、電池電圧Ｖの変化量ΔＶが閾値ΔＶ１を越えているとき、すなわち電池電圧Ｖが略一定でないときは、正常と判断する。
【００２４】
ステップ１０２で２次電池を通って流れる電流Ｉが０または正と判断された場合、すなわち放電中か充放電停止中のいずれかの場合には、ステップ１１２において電池電圧の変化量ΔＶが０を越えているか否かを判断することにより、電池電圧Ｖが上昇しているか否かを判断する。変化量ΔＶが０を越えていると判断された場合には、正常状態では放電中または充放電停止中には電池電圧が下降するか変化しないにも拘わらず、電池電圧が上昇しているので、異常と判断し、ステップ１２２で電流遮断スイッチＳ１をオフにし、ステップ１２４で電池電圧Ｖが所定値Ｖ0以上か否かを判断し、電池電圧Ｖが所定値Ｖ0以上の場合は、ステップ１２６で短絡スイッチＳ２をオンして放電抵抗Ｒを介して２次電池を安全に放電させることにより、上記で説明した異常時の処理を実行する。なお、このとき放電抵抗Ｒを変化させ更に安全に放電させるようにしてもよい。
【００２５】
電池電圧の変化量ΔＶが０以下の場合、すなわち電池電圧が変化しないか下降している場合には、ステップ１１４で、電池電圧の変化量ΔＶが閾値ΔＶ４以下か否かを判断することにより、電池電圧Ｖが急激に減少しているか否かを判定する。この閾値ΔＶ４は、例えば、−０．１Ｖとすることができる。電池電圧が急激に減少している場合には、異常と判断し、上記で説明した異常時の処理を実行する。
【００２６】
ステップ１１４で電池電圧が急激に変化していないと判断された場合には、ステップ１１６において電池電流Ｉが０か否かを判断することにより、放電中か充放電停止中かを判断する。電池電流Ｉが正のとき、すなわち放電中は、ステップ１１２及びステップ１１４で電池電圧の変化量ΔＶが０以下でかつ急変していないと判断されているので、正常と判断してこのルーチンを終了する。
【００２７】
電池電流Ｉが０のとき、すなわち充放電停止中は、ステップ１１８で電池電圧の変化量ΔＶが充放電を停止しているときに自然放電により電圧が減少するときの閾値ΔＶ３（例えば、−０．００１Ｖ）以下か否かを判断する。電池電圧の変化量ΔＶが閾値ΔＶ３以下とき、すなわちΔＶ４＜ΔＶ≦ΔＶ３（本実施の形態の例では、−０．１＜ΔＶ≦−０．００１）のときは、電池電圧の低下量が自然放電による低下量より大きいので、異常と判断し、上記で説明した異常時の処理を実行する。一方、電池電圧の変化量ΔＶが閾値ΔＶ３を越える場合には、電池電圧の低下が自然放電による低下量以下であるので、正常と判断する。
【００２８】
図３（Ａ）は、異常時に本発明を適用しなかった時、（Ｂ）は異常時に本発明を適用した時の例で、電池電圧、電流、電池温度の変化を示すものである。
【００２９】
図３（Ａ）に示すように４．１Ｖ付近では電池電圧が一定になり、かつ電流が充電方向に１Ｃ流れていても充電を続けると、電池温度が上昇するなどの異常状態になる。図３（Ｂ）では、４．１Ｖ付近で電池電圧が一定になり、かつ電流が充電方向に１Ｃ流れているので、本発明により異常状態と判定し、充電電流を停止し、電池電圧が３．５Ｖ以上の４．１Ｖ前後あるので、放電抵抗により放電する。放電したことで電池電圧が下がり、異常状態が防止される。
【図面の簡単な説明】
【００３０】
【図１】本実施の形態のブロック図である。
【図２】本実施の形態の計測制御回路による異常判定処理ルーチンを示す流れ図である。
【図３】（Ａ）は異常時に本発明を適用しなかった場合の電池電圧、電流、及び電池温度の変化の例を示す線図であり、（Ｂ）は異常時に本発明を適用した場合の電池電圧、電流、及び電池温度の変化の他の例を示す線図である。
【符号の説明】
【００３１】
１０  電池パック
１２  充放電回路
１８  計測制御回路
【図１】
2008220168.tif 000003
【図２】
2008220168.tif 000004
【図３】
2008220168.tif 000005